(57)【要約】本発明に係る電解水噴霧装置（１００）は、電解槽（１２）とその電解槽（１２）から所定の電解水を流出する電解水流出管（２６）とを備えた電解水噴霧装置主体（１０２）と、前記電解水流出管（２６）の吐出口からの電解水を外部に噴霧するための噴霧素子（４０）を備える噴霧部（１０４）とを別体に形成し、電解水噴霧装置主体（１０２）と噴霧部（１０４）とを着脱自在とする。噴霧部（１０４）が電解水噴霧装置主体（１０２）と着脱自在としたので、噴霧素子（４０）が噴霧不良になった場合に、噴霧部（１０４）のみを簡単に交換することができ、故障に素早く対応できる。
2003089150.tif 000002
【特許請求の範囲】
【請求項１】
電解質水溶液タンクと、前記電解質水溶液タンク内の電解質水溶液を電解槽入口側に送液するポンプと、内部に互いに対向する陽極及び陰極を備えた流通型電解槽と、前記電解槽の出口側に連結され一方の電極側電解水を流出する電解水流出管と、前記電解槽の出口側に連結され他方の電極側電解水を排出する排出管と、前記排出管に連結された廃液タンクと、電源と、制御部とを有する電解水噴霧装置主体と；
前記電解水噴霧装置主体に着脱自在に取付けられるものであって前記電解水流出管の吐出口から流出する電解水を噴霧するための噴霧素子を備える噴霧部と、を有する電解水噴霧装置。
【請求項２】
前記噴霧部が噴霧部本体とその噴霧部本体に対して移動自在な噴霧部開閉カバーとから構成し、前記電解水流出管の吐出口を開閉するためのものであって前記噴霧部開閉カバーと連動して移動する吐出口開閉手段を有する請求項１に記載の電解水噴霧装置。
【請求項３】
前記吐出口開閉手段を前記噴霧部開閉カバーと別体に形成し、前記吐出口開閉手段に表面より外部に突出する突起を一体に形成し、前記吐出口開閉手段を前記噴霧部本体に形成した溝に挿入し、前記突起が前記溝内に位置した時に前記突起が前記吐出口開閉手段を前記電解水流出管の吐出口に密着させるようにした請求項１に記載の電解水噴霧装置。
【請求項４】
前記電解水噴霧装置主体に一方を側面に開口する第一空間部と他方を上方に開口する第二空間部とを連結した空間を形成し、前記噴霧部に腕とその先端の係止突起とを形成し、前記係止突起を前記第一空間部の開口部から挿入し、前記空間を形成する壁部材に前記係止突起を係合させて前記噴霧部を前記電解水噴霧装置主体に取付け、前記第二空間部の開口部から分離手段を挿入してその分離手段で前記係止突起を押して前記係止突起と前記第一壁部材との係合状態を外して前記噴霧部と前記電解水噴霧装置主体とを分離するようにした請求項１に記載の電解水噴霧装置。
【請求項５】
前記空間を形成する壁部材における前記分離手段の挿入先端位置を傾斜面とした請求項４に記載の電解水噴霧装置。
【請求項６】
前記電解水噴霧装置主体に前記電解質水溶液タンクと前記廃液タンクの開口部を開閉する蓋を備え、その蓋によって前記電解質水溶液タンクと前記廃液タンクを閉鎖しているときに前記第二空間部が覆われ、前記電解質水溶液タンクと前記廃液タンクを開いたときに前記第二空間部が開かれるようにした請求項４に記載の電解水噴霧装置。
【請求項７】
前記噴霧部がスイッチ作動手段を有し、前記電解水噴霧装置主体が前記スイッチ作動手段によって作動するスイッチを有し、前記噴霧部が電解水流出管の吐出口を閉塞している時に、前記スイッチ作動手段の働きによって前記スイッチがポンプに供給する電力回路を切断するか前記電源をＯＦＦするかの少なくとも一方を行わせる請求項１に記載の電解水噴霧装置。
【請求項８】
前記電解水流出管の周辺に前記電解水噴霧装置主体内部と外部とを遮蔽する防水手段を備えた請求項１に記載の電解水噴霧装置。
【発明の詳細な説明】
技術分野
本発明は、電解質水溶液を電気分解して、各種機能を有する陽極電解水や陰極電解水を製造して噴霧する電解水噴霧装置に関し、更に詳述すれば電解水噴霧部の交換が簡単で、携帯に便利な電解水噴霧装置に関する。
背景技術
隔膜としてイオン交換樹脂を膜状にした荷電膜やマイクロポーラス構造を有する非荷電膜を介して、又は隔膜を介することなく、白金あるいは白金合金等からなる不活性電極をその内部に配置した電解槽を用いて、ＮａＣｌ等の電解質の希薄水溶液を電解し、陽極側で電解生成されるｐＨの低い陽極電解水（酸性水）を取出し、これを殺菌や消毒に利用する技術は既に良く知られている。
陽極側で生成される陽極電解水はその中に次亜塩素酸が生成されていることから、次亜塩素酸の強力な酸化作用と塩素化作用を利用し、殺菌や消毒に利用するもので、この様な利用方法は医療機関等で普及している。また陽極電解水中に微量に含まれるオゾンや溶存酸素は肉芽生成促進作用を有することから、外科治療の補助としての利用も研究されている。
一方、陰極側で生成される陰極電解水（アルカリ水）は、希薄電解質溶液の代りに水道水を用いて、これを電解することにより得られ、従来飲用等に利用されている。
特開平８−２４３５６２号公報には、電解水の流路に流量検出器を設け、電解槽に送水される送水量と、電解水の生成量を流量検出器で検出し、電解水のｐＨを一定に保つ電解水製造装置が記載されている。このような従来の電解水製造装置は、比較的大型で、電解水を使用する場所に固定するタイプのものが多い。
一方、携帯式の電解水製造装置も従来知られている（ＰＣＴ／ＪＰ９５／０１５０３等）。
本発明者らは、従来携帯式電解水製造装置を開発してきた（特開２００２−５２０６９、特開２００２−６５８１９）。これらの電解水製造装置は小型、軽量で、電池を内蔵する携帯式のものである。この装置においては、電解質水溶液を電気分解して生成する電解水を微細な霧状にして噴霧し、皮膚等に塗布するように構成してあり、使用勝手が良好なものである。
しかし、上記装置を長期間にわたり使用すると、噴霧素子等に付着した電解水が乾燥して電解水に溶解している電解質が析出固化し、これが噴霧素子等を閉塞して電解水の噴霧を不能にする場合がある。
この場合、噴霧素子等の交換をする必要があるが、噴霧素子等は精密装置であり、しかも電解水製造装置内に組込まれているので、装置を一旦分解し、各種流路等を取外して噴霧素子を交換する必要がある。このため、通常のユーザーには、噴霧素子等は簡単に交換し難い問題がある。
発明の開示
本発明は上記問題を解決するために為されたもので、その目的とするところは、電解水噴霧素子等の交換が簡単で、携帯用に適する電解水噴霧装置を提供することにある。本発明の他の目的は、電解水の誤噴霧を防止し、更に電解水の漏出等も防止できる電解水噴霧装置を提供することにある。
上記目的を達成する本発明は、以下に記載するものである。
〔１〕  電解質水溶液タンクと、前記電解質水溶液タンク内の電解質水溶液を電解槽入口側に送液するポンプと、内部に互いに対向する陽極及び陰極を備えた流通型電解槽と、前記電解槽の出口側に連結され一方の電極側電解水を流出する電解水流出管と、前記電解槽の出口側に連結され他方の電極側電解水を排出する排出管と、前記排出管に連結された廃液タンクと、電源と、制御部とを有する電解水噴霧装置主体と；
前記電解水噴霧装置主体に着脱自在に取付けられるものであって前記電解水流出管の吐出口から流出する電解水を噴霧するための噴霧素子を備える噴霧部と、を有する電解水噴霧装置。
〔２〕  前記噴霧部が噴霧部本体とその噴霧部本体に対して移動自在な噴霧部開閉カバーとから構成し、前記電解水流出管の吐出口を開閉するためのものであって前記噴霧部開閉カバーと連動して移動する吐出口開閉手段を有する〔１〕に記載の電解水噴霧装置。
〔３〕  前記吐出口開閉手段を前記噴霧部開閉カバーと別体に形成し、前記吐出口開閉手段に表面より外部に突出する突起を一体に形成し、前記吐出口開閉手段を前記噴霧部本体に形成した溝に挿入し、前記突起が前記溝内に位置した時に前記突起が前記吐出口開閉手段を前記電解水流出管の吐出口に密着させるようにした請求項〔１〕に記載の電解水噴霧装置。
〔４〕  前記電解水噴霧装置主体に一方を側面に開口する第一空間部と他方を上方に開口する第二空間部とを連結した空間を形成し、前記噴霧部に腕とその先端の係止突起とを形成し、前記係止突起を前記第一空間部の開口部から挿入し、前記空間を形成する壁部材に前記係止突起を係合させて前記噴霧部を前記電解水噴霧装置主体に取付け、前記第二空間部の開口部から分離手段を挿入してその分離手段で前記係止突起を押して前記係止突起と前記第一壁部材との係合状態を外して前記噴霧部と前記電解水噴霧装置主体とを分離するようにした請求項〔１〕に記載の電解水噴霧装置。
〔５〕  前記空間を形成する壁部材における前記分離手段の挿入先端位置を傾斜面とした請求項〔４〕に記載の電解水噴霧装置。
〔６〕  前記電解水噴霧装置主体に前記電解質水溶液タンクと前記廃液タンクの開口部を開閉する蓋を備え、その蓋によって前記電解質水溶液タンクと前記廃液タンクを閉鎖しているときに前記第二空間部が覆われ、前記電解質水溶液タンクと前記廃液タンクを開いたときに前記第二空間部が開かれるようにした請求項〔４〕に記載の電解水噴霧装置。
〔７〕  前記噴霧部がスイッチ作動手段を有し、前記電解水噴霧装置主体が前記スイッチ作動手段によって作動するスイッチを有し、前記噴霧部が電解水流出管の吐出口を閉塞している時に、前記スイッチ作動手段の働きによって前記スイッチがポンプに供給する電力回路を切断するか前記電源をＯＦＦするかの少なくとも一方を行わせる請求項〔１〕に記載の電解水噴霧装置。
〔８〕  前記電解水流出管の周辺に前記電解水噴霧装置主体内部と外部とを遮蔽する防水手段を備えた請求項〔１〕に記載の電解水噴霧装置。
発明を実施するための第１の最良の形態
以下、図面を参照しながら本発明の電解水噴霧装置の一例につき説明する。
第１図中、１００は電解水噴霧装置で、電解水噴霧装置主体１０２と、その電解水噴霧装置主体１０２に着脱自在に取付けられた噴霧部１０４とからなる。２は、略直方体状の電解水噴霧装置主体１０２のハウジングである。４は、前記ハウジング２内に収納された電解質水溶液タンクで、その内部には電解質水溶液が収納されている。電解質としては、塩化ナトリウム、塩化カリウム、塩化カルシウム等のアルカリ金属塩やアルカリ土類塩、アスコルビン酸等の有機酸が好ましい。電解質濃度としては、０．０１５〜０．９質量％が好ましい。
前記電解質水溶液タンク４の下方には、ポンプ６が取付けられており、前記電解質水溶液タンク４内に収納されている電解質水溶液は電解質水溶液供給管８を通して前記ポンプ６に供給される。前記ポンプ６に供給された電解質水溶液は、次いでポンプ６により圧送されて送出管１０を通って電解槽１２に供給される。
第４図は、電解槽１２を示す拡大図である。電解槽１２は、扁平な電解槽ハウジング１４内に、平行に配設された陽極１６、及び陰極１８を有する。なお、２０は陽極１６に接続された陽極端子、２２は陰極１８に接続された陰極端子で、それぞれ前記電解槽ハウジング１４の下端から外部に引出されている。
前記ポンプ６から供給される電解質水溶液は電解槽１２の下部に形成された流入孔２４から電解槽１２内に供給され、層流状態を保ちながら電解槽１２内を上方に移動すると共に、陽極１６、陰極１８間に印荷されている電圧により電気分解され、陽極１６の近傍には陽極水（酸性水）が生成し、陰極１８近傍には陰極水（アルカリ性水）が生成する。
電解槽１２内の電解質水溶液は層流状態で流れているので、生成した陽極水は陽極１６の表面に沿って矢印Ａで示される様に上方に流れ、陽極水のみが電解槽１２の上部側に形成された電解水流出管２６を通って、後述する噴霧素子２８に供給される。
一方、電解槽１２内で生成した陰極水は、第４図に示す矢印Ｂによって示される様に、陰極１８に沿って上方に移動し、電解槽１２の上部側に連結された排出管３０から後述する廃液タンク３２に送られ廃液として一時的に蓄えられる。
第１図において、前記電解槽１２の上部側に形成された流出管２６の前方には噴霧部１０４が電解水噴霧装置主体１０２に着脱自在に取付けられている。第２図は、噴霧部１０４を電解水噴霧装置主体１０２から取外した状態を示している。
噴霧部１０４の取付け方法としては、例えばスライドガイドや、係止突起等を用いる通常の嵌合手段が例示される。
第１図に示すように、着脱自在の噴霧部１０４は、内部に前記噴霧素子２８を収納した噴霧部本体３４と、その上部に取付けた噴霧部開閉カバー３６とで構成されている。
噴霧素子２８は、多孔板２８ａとピエゾ振動子２８ｂとからなる。多孔板２８ａは、孔径１８〜２４μｍの貫通孔が多数形成されており、その端部が前記ピエゾ振動子２８ｂに固定されている。従って、前記ピエゾ振動子２８ｂに交流やパルス電圧を印荷する事によりピエゾ振動子２８ｂが振動し、これに伴いピエゾ振動子２８ｂに固定された多孔板２８ａが振動する。これにより、後述するように流出管２６から供給される電解水は多孔板２８ａに形成された多数の貫通孔を通して外部に微細液滴として噴霧される。
噴霧部開閉カバー３６は、前記噴霧素子２８の多孔板２８ａを露出させたり隠したりするもので、前記噴霧部本体３４に対して上下方向に摺動できるように前記噴霧部本体３４に取付けられている。前記噴霧部開閉カバー３６の電解水噴霧装置主体１０２側には、カバー３６上部から流出管２６にかけて、平板からなる吐出口開閉手段３８が垂設されている。多孔板２８ａを隠すようにカバー３６を閉じた時に、流出管２６の先端の吐出口は前記吐出口開閉手段３８で閉塞され、流出管２６の吐出口から電解水は漏出しない。
前記カバー３６の上部にはスイッチ作動手段としてのマグネット４０が取付けてあり、対応する電解水噴霧装置主体１０２側に取付けたリードスイッチ４２と協働してカバー３６の位置を検出できるようになっている。
４４はマイクロプロセッサを組込んだ制御部で、この制御部４４の制御により、ポンプ６、電解槽１２、噴霧素子２８等が制御され、またリードスイッチ４２の信号が取込まれる。４６は、制御部４４、ポンプ６、電解槽１２、噴霧素子２８等に電力を供給する駆動電源である。駆動電源４６としては、一次電池、二次電池の何れも使用できる。
なお、５４は駆動電源４６の電力を制御部４４に供給する配線、４８は電気分解に適する制御された電力を電解槽１２に供給する配線、５０はリードスイッチ４２と制御部４４とを結ぶ信号線、５２は制御部４４からポンプ６に制御された電力を供給する配線である。
また、５５、５６はハウジング２内壁と電解槽１２との間に介装されたゴム等の弾性体からなるパッキングで、これらにより防水手段を構成している。この防水手段により、陽極水が電解水噴霧装置主体１０２内部に侵入することを防いでいる。
次に、上記電解水噴霧装置を用いて電解水を噴霧する場合につき説明する。
第３図に示すように、先ずカバー３６を上方に引上げる。これにより、吐出口開閉手段３８も上方に移動し、流出管２６の吐出口は閉塞状態から、開口状態になる。
一方、カバー３６に取付けられたマグネット４０も上方に移動され、リードスイッチ４２から離れる。この状態を検知した制御部４４は駆動電源４６の電力をポンプ６、電解槽１２、吐出手段２８に供給し、これによりポンプ６が作動し、電解質水溶液タンク４内の電解質水溶液は電解質水溶液供給管８、ポンプ６、送出管１０を通って電解槽１２に送られ、ここで電気分解される。
電解槽１２内の陽極側で生成した陽極水は流出管２６を通り、その先端の吐出口から液滴５８になって振動している多孔板２８ａに供給され、更に多孔板２８ａに形成された微細貫通孔を通って多孔板２８ａの前方に噴霧される。
一方、陰極水は排出管３０を通って廃液タンク３２に送られ、ここで一時的に貯留された後、適宜外部に排出される。
電解水の噴霧が終り、噴霧を停止する際には、カバー３６を下方に押下げる。すると、マグネット４０がリードスイッチ４２に近づき信号線５０を通して信号が制御部４４に送られる。これにより電解槽１２及びポンプ６に供給される電力が切断され、電解水の噴霧が停止される。なお、マグネット４０がリードスイッチ４２に近づいた時に制御部４４によって駆動電源４６をＯＦＦにし、マグネット４０がリードスイッチ４２から離れた時に駆動電源４６をＯＮにして、ポンプ６や電解槽１２や制御部４４に電力が供給されるようにしても良い。
上記例においては、リードスイッチ４２が電解水噴霧動作のスイッチの役割を果しているが、これに限られず、電源スイッチを別途設け、カバー３６をあけた後電源スイッチを入れることにより電解水の噴霧が始るように構成しても良い。この場合は、リードスイッチ４２と電源スイッチのアンド条件で電解水の噴霧が始るようにすることにより、カバー３６を上に引上げていないときに、電源スイッチを入れても電解水は噴霧されず、誤操作による誤噴霧を確実に防止できる。
次に、長期間本発明電解水噴霧装置を使用している内に、電解水の噴霧不良を生じた場合につき第２図を参照して説明する。電解水の噴霧不良は、噴霧素子に電解水が付着したまま乾燥して析出する電解質により多孔板２８ａの貫通孔が目詰りする等の原因により起きる。
噴霧不良を生じた場合は、噴霧部１０４を第２図に示すように電解水噴霧装置主体１０２から取外し、正常に噴霧する噴霧部１０４と交換する。噴霧部１０４の取付けは前述のようにスライド式のガイドや係止突起等により簡単に取外し交換できるようになっているので、それぞれの取付け構造に応じて操作すれば良く、特に専門知識は要求されない。
取外した噴霧部１０４は、例えば界面活性剤を含む洗浄液等を用いて適宜洗浄することにより、当初の性能に復帰させることができる。この場合、噴霧部１０４は電解水噴霧装置主体１０２から分離されているので、噴霧部１０４の取扱いは簡単である。
第２図において、その他の構成は第１図と同様であるので、同一構成の主要部に同一符号を付して、その説明を省略する。
なお、本例においては電解水噴霧装置を構成する各部品の形状、配置を上記のようにしたがこれに限られず、本発明の要旨を逸脱しない範囲で適宜変形して差支えない。
発明を実施するための第２の最良の形態
次に、本発明に係る他の電解水噴霧装置を第５図及び第６図に示す。第５図は噴霧部１０８を電解水噴霧装置主体１０６に取付けた状態を示し、第６図は噴霧部１０８を電解水噴霧装置主体１０６から取外した状態を示す。第５図及び第６図において、第１図と同一参照番号は同一部材を示す。電解水噴霧装置主体１０６には、側面即ち噴霧部１０８側に開口する第一空間部６０ａと、上方に開口する第二空間部６０ｂとを連結して成る略Ｌ字形の空間６０が形成されている。この空間６０は、第一壁部材６１と第二壁部材６２との間に形成される。第一壁部材６１は、第二空間部６０ｂに面する上下方向の壁面６３を有する。第二壁部材６２は、第二空間部６０ｂに面する上下方向の壁面６４と、その上下方向の壁面６４から続く傾斜面６５と、その傾斜面６５から続く水平方向の壁面６６とを有する。傾斜面６５は上部側に開口する第二空間部６０ｂの延長線上に位置する。第二壁部材６２には、リードスイッチ４２と、電解槽１２並びに流出管２６と、電気端子６７とが固定されている。
電解水噴霧装置主体１０６には、第５図に示すように、電解質水溶液タンク４と廃液タンク３２の上部開口部を開閉するための蓋７０が、ヒンジ７１を中心に揺動自在に取付けられている。蓋７０の閉鎖状態と開放状態とは、フック７２を操作することによって行う。
第５図，第６図及び第７図に示すように、噴霧部１０８は主に噴霧部本体７３と噴霧部開閉カバー７４とから成る。噴霧部開閉カバー７４は噴霧部本体７３に対してスライドによって変位できるように設定されており、その噴霧部開閉カバー７４の移動によって多孔板２８ａが露出したり隠したりする。噴霧部本体７３のハウジング７５には電解水噴霧装置主体１０６側に向けて伸びる腕７６が形成され、その腕７６の先端にフック状の係止突起７７が一体に形成されている。噴霧部本体７３のハウジング７５内部には、多孔板２８ａと振動子２８ｂとから成る噴霧素子２８が備えられる。ハウジング７５には前記流出管２６の先端を収容する穴７８が形成され、その穴７８の先に間隔を開けて多孔板２８ａが配置されている。
第５図，第６図，第７図及び第８図に示すように、開閉カバー７４には噴霧部本体７３に向けて伸びる筒状の腕部７９が形成され、その腕部７９の内部にスイッチ作動手段としてのマグネット８０が取り付けられている。開閉カバー７４の腕部７９の先端に、流出管２６の吐出口を閉鎖して液垂れを防止するための吐出口開閉手段８１を取付ける。吐出口開閉手段８１は、第７図に示すように、中央に前記開閉カバー７４の腕部７９を嵌合させるための穴８２を形成した上部保持部８３と、その上部保持部８３と一体に形成した舌部８４とから成る。上部保持部８３または舌部８４の少なくとも一方に外面より外側に突出する複数の突起８５を一体に形成する。前記吐出口開閉手段８１の穴８２に開閉カバー７４の腕部７９を嵌合させることで、吐出口開閉手段８１は開閉カバー７４と共に噴霧部本体７３に対して変位する。
第７図に示すように、噴霧部本体７３には溝８６が形成される。この溝８６に、前記吐出口開閉手段８１の舌部８４を挿入する。この状態で、開閉カバー７４を噴霧部本体７３に対して移動させると、吐出口開閉手段８１の舌部８４は、噴霧部本体７３に形成された穴７８（そこに流出管２６の吐出口が備えられる）と多孔板２８ａとの間を遮断（第５図及び第６図）したり連絡（第８図）したりする。
また、開閉カバー７４を噴霧部本体７３に対して移動させることで、開閉カバー７４は多孔板２８ａを外部から隠したり（第５図及び第６図）、外部に露出させたり（第８図）する。開閉カバー７４の移動によって、開閉カバー７４に取付けたマグネット８０がリードスイッチ４２をオンオフさせて、電解槽１２やポンプ６等への電力の供給を断続させる。
第６図に示すように、噴霧部本体７３における電解水噴霧装置主体１０６側には、前記第二壁部材６２に固定されている前記電気端子６７と接続するための電機端子８７が固定されている。これら電気端子６７と電機端子８７とを接続することによって、噴霧素子２８へ電力が供給される。
以上のように構成された電解水噴霧装置において、電解水噴霧装置主体１０６に対する噴霧部１０８の着脱について説明する。第６図に示す噴霧部１０８が電解水噴霧装置主体１０６から外れた状態から、噴霧部１０８の腕７６の先端の係止突起７７を電解水噴霧装置主体１０６の第一空間部６０ａに挿入して、噴霧部１０８を電解水噴霧装置主体１０６に接合させる。この結果、係止突起７７が第一壁部材６１の壁面６３の下端に係合して、噴霧部１０８が電解水噴霧装置主体１０６に取付けられる（第５図）。この第５図の状態では、流出管２６がハウジング７５の穴７８に収容され、流出管２６の吐出口は吐出口開閉手段８１の舌部８４と接触する位置に突出する。
第５図の状態から、噴霧部１０８を電解水噴霧装置主体１０６から外す場合には、第９図に示すように、第二空間部６０ｂに上から棒状または板状の分離手段としての専用治具８８を挿入し、専用治具８８で係止突起７７を下側に押し下げ、係止突起７７と第一壁部材６１の壁面６３との係合状態を外す（第１０図）。係止突起７７と第一壁部材６１の壁面６３との係合状態を外した後、噴霧部１０８を電解水噴霧装置主体１０６から引き離して第６図の状態とする。
第１０図に示すように、第二空間部６０ｂの延長線上に傾斜面６５が位置するので、第二空間部６０ｂに挿入した専用治具８８の先端は、第二壁部材６２の傾斜面６５に接触または衝突する。専用治具８８の先端が傾斜面６５に接触または衝突した状態では、第１０図に示すように、係止突起７７と第一壁部材６１の壁面６３との係合状態が外れるように設定する。このように、専用治具８８の先端が傾斜面６５に接触または衝突するようにするのは、係止突起７７を下側に押し過ぎないようにして、腕７６が折れるのを防止するためである。また、専用治具８８の先端が傾斜面６５に接触した後、傾斜面６５に沿って専用治具８８が腕７６側に移動し、その結果、専用治具８８で噴霧部１０８を電解水噴霧装置主体１０６から外れる方向に押し出す働きをする。更に、専用治具８８を傾斜面６５に接触または衝突させることで、第二壁部材６２と専用治具８８との衝突力を緩和させる。
第５図並びに第６図においては、専用治具８８を挿入する第二空間部６０ｂは常に開いたままである。このため、第１１図に示すように、蓋７０に第二空間部６０ｂの開口部を覆うための延長部８９を一体に形成するようにしても良い。蓋７０に延長部８９を一体に形成した場合には、蓋７０を水平にした状態では第二空間部６０ｂの開口部が覆われ、蓋７０を鉛直に立てた場合には第二空間部６０ｂの開口部が開いて、第二空間部６０ｂに専用治具８８が挿入できるようになる。蓋７０を鉛直に立てた場合には、第二壁部材６２に延長部８９が当接するようにして、蓋７０のそれ以上の回転を防止すると共に、蓋７０に沿って第二空間部６０ｂに専用治具８８を挿入し易くする。
第７図に示すように、噴霧部本体７３には吐出口開閉手段８１を挿入するための溝８６が形成されている。この溝８６は第７図及び第８図に示すように、梁部９０とハウジング７５との間に形成される。第８図に示すように、溝８６の幅をＨとし、吐出口開閉手段８１の舌部８４の厚みをｈとすると、幅Ｈは厚みｈより大となる。このため、吐出口開閉手段８１が厚み方向にガタついて、吐出口開閉手段８１によって流出管２６の吐出口を確実に閉鎖できないおそれがある。
第１２図に示すように、開閉カバー７４が多孔板２８ａを隠す位置に移動した時に、吐出口開閉手段８１に形成した突起８５が溝８６に位置するようにし、それと共に吐出口開閉手段８１によって流出管２６の吐出口を閉鎖するようにする。吐出口開閉手段８１の素材を合成樹脂とし、突起８５の位置での厚みはＨと同じか僅かに大とする。これによって、突起８５が溝８６に位置した時に（第１２図）、吐出口開閉手段８１における突起８５と反対側の面がハウジング７５の接合面９１に押し付けられ、吐出口開閉手段８１の厚み方向の位置が安定し、流出管２６の吐出口が吐出口開閉手段８１の舌部８４によって確実に閉鎖され、液垂れを防止することができる。
産業上の利用可能性
本発明の電解水噴霧装置は、電解水噴霧装置主体と噴霧素子を備えた噴霧部とを別体に形成し、噴霧素子を備えた噴霧部を電解水噴霧装置主体に対して着脱自在に取付けるように構成したのである。よって、噴霧素子の噴霧状態が不調の場合等に、噴霧素子を備えた噴霧部のみを交換すれば良く、故障に素早く対応でき、装置全体を交換する場合と比べて経済効率が良い。その上、噴霧部の交換が簡単で、しかもに交換には専門的知識を必要としない。
また、噴霧部に開閉カバーと連動して移動する吐出口閉塞手段を備えることで、開閉カバーで多孔板を隠した時に、吐出口閉塞手段で流出管の吐出口を閉鎖して、使用しない時における流出管の吐出口からの電解水の漏出を防止する。
更に、噴霧部が開閉カバーと連動するスイッチを有し、開閉カバーが噴霧素子の多孔板を覆っている時にポンプに供給する電力回路を切断するようにして、誤噴霧の発生を確実に防止できる。
また更に、電解水流出管の周辺に電解水噴霧装置主体内部と外部とを遮蔽する防水手段を備えることで、装置内に電解水等が侵入することを防止することができる。
本発明の電解水噴霧装置では、電解水噴霧装置主体に噴霧部側に開口すると共に上部側に開口する略Ｌ字形の空間を形成し、噴霧部に係止突起を形成する。その係止突起を噴霧部側の空間から挿入して噴霧部を電解水噴霧装置主体に取付け、上部側の空間から専用治具を挿入して係止突起による係合を外して、電解水噴霧装置主体と噴霧部とを分離する。このように、噴霧部の電解水噴霧装置主体への取付けは、噴霧部の電解水噴霧装置主体への挿入だけで良く、噴霧部の電解水噴霧装置主体からの取外しは、専用治具の電解水噴霧装置主体への挿入だけで良く、噴霧部の電解水噴霧装置主体への着脱を容易に行うことができる。
専用治具を挿入する空間における挿入先端方向の壁面に専用治具の先端と接触する傾斜面を形成することで、専用治具による係止突起の押し過ぎをなくして、係止突起を支持する腕が折れるのを防止する。専用治具の先端を傾斜面に接触させることで、その専用治具が傾斜面に沿って移動し、噴霧部を電解水噴霧装置主体から外れ易くする。
開閉カバーと連動して移動する吐出口閉塞手段を開閉カバーと別体とし、その吐出口閉塞手段を溝を通過するようにし、吐出口閉塞手段に厚みを厚くする突起を形成する。これによって、開閉カバーで多孔板を覆った際に、吐出口閉塞手段の位置が移動しないようにすることができ、流出管の吐出口を閉鎖して非使用時における流出管の吐出口からの電解水の漏出を防止することができる。
専用治具を挿入する第二空間部の開口部を、専用治具を使用しない時に蓋によって閉鎖するので、第二空間部へのゴミの侵入を防止し、専用治具の使用が阻害されないようにする。
【図面の簡単な説明】
第１図は本発明の電解水噴霧装置の一例を示す概略構成図、第２図は第１図の電解水噴霧装置の噴霧部を取外した状態を示す説明図、第３図は第１図の電解水噴霧装置の噴霧状態を示す説明図、第４図は第１図の電解水噴霧装置の電解槽を示す拡大構成図、第５図は本発明に係る他の電解水噴霧装置の要部断面図、第６図は第５図の状態から噴霧部を取外した状態を示す断面、第７図は第５図の噴霧部を分解した斜視図、第８図は第５図に示す噴霧部で開閉カバーを開いた状態を示す要部断面図、第９図は第５図に示す噴霧部と電解水噴霧装置本体との係止箇所を示す断面図、第１０図は第９図に示す噴霧部と電解水噴霧装置本体との係止箇所を専用治具で外す状態を示す断面図、第１１図は他の蓋を用いた第９図相当図、第１２図は第５図における要部拡大断面図である。
【図１】
2003089150.tif 000003
【図２】
2003089150.tif 000004
【図３】
2003089150.tif 000005
【図４】
2003089150.tif 000006
【図５】
2003089150.tif 000007
【図６】
2003089150.tif 000008
【図７】
2003089150.tif 000009
【図８】
2003089150.tif 000010
【図９】
2003089150.tif 000011
【図１０】
2003089150.tif 000012
【図１１】
2003089150.tif 000013
【図１２】
2003089150.tif 000014
【手続補正書】
【提出日】平成16年7月23日(2004.7.23)
【手続補正００１】
【補正対象書類名】特許請求の範囲
【補正対象項目名】全文
【補正方法】変更
【補正の内容】
【特許請求の範囲】
【請求項１】
電解質水溶液タンクと、前記電解質水溶液タンク内の電解質水溶液を電解槽入口側に送液するポンプと、内部に互いに対向する陽極及び陰極を備えた流通型電解槽と、前記電解槽の出口側に連結され一方の電極側電解水を流出する電解水流出管と、前記電解槽の出口側に連結され他方の電極側電解水を排出する排出管と、前記排出管に連結された廃液タンクと、電源と、制御部とを有する電解水噴霧装置主体と；
前記電解水噴霧装置主体に着脱自在に取付けられるものであって前記電解水流出管の吐出口から流出する電解水を噴霧するための噴霧素子を備える噴霧部と、を有する電解水噴霧装置。
【請求項２】
前記噴霧部が噴霧部本体とその噴霧部本体に対して移動自在な噴霧部開閉カバーを有する、ことを特徴とする請求項１に記載の電解水噴霧装置。
【請求項３】
前記噴霧部が、前記電解水流出管の吐出口を開閉するためのものであって前記噴霧部開閉カバーと連動して移動する吐出口開閉手段を有する請求項２に記載の電解水噴霧装置。
【請求項４】
前記吐出口開閉手段を前記噴霧部開閉カバーと別体に形成し、前記吐出口開閉手段に表面より外部に突出する突起を一体に形成し、前記吐出口開閉手段を前記噴霧部本体に形成した溝に挿入し、前記突起が前記溝内に位置した時に前記突起が前記吐出口開閉手段を前記電解水流出管の吐出口に密着させるようにした請求項１に記載の電解水噴霧装置。
【請求項５】
前記電解水噴霧装置主体に一方を側面に開口する第一空間部と他方を上方に開口する第二空間部とを連結した空間を形成し、前記噴霧部に腕とその先端の係止突起とを形成し、前記係止突起を前記第一空間部の開口部から挿入し、前記空間を形成する壁部材に前記係止突起を係合させて前記噴霧部を前記電解水噴霧装置主体に取付け、前記第二空間部の開口部から分離手段を挿入してその分離手段で前記係止突起を押して前記係止突起と前記第一壁部材との係合状態を外して前記噴霧部と前記電解水噴霧装置主体とを分離するようにした請求項１に記載の電解水噴霧装置。
【請求項６】
前記空間を形成する壁部材における前記分離手段の挿入先端位置を傾斜面とした請求項５に記載の電解水噴霧装置。
【請求項７】
前記電解水噴霧装置主体に前記電解質水溶液タンクと前記廃液タンクの開口部を開閉する蓋を備え、その蓋によって前記電解質水溶液タンクと前記廃液タンクを閉鎖しているときに前記第二空間部が覆われ、前記電解質水溶液タンクと前記廃液タンクを開いたときに前記第二空間部が開かれるようにした請求項５に記載の電解水噴霧装置。
【請求項８】
前記噴霧部がスイッチ作動手段を有し、前記電解水噴霧装置主体が前記スイッチ作動手段によって作動するスイッチを有し、前記噴霧部が電解水流出管の吐出口を閉塞している時に、前記スイッチ作動手段の働きによって前記スイッチがポンプに供給する電力回路を切断するか前記電源をＯＦＦするかの少なくとも一方を行わせる請求項１に記載の電解水噴霧装置。
【請求項９】
前記電解水流出管の周辺に前記電解水噴霧装置主体内部と外部とを遮蔽する防水手段を備えた請求項１に記載の電解水噴霧装置。
【請求項１０】
前記電解水噴霧装置主体には前記噴霧部を固定するための凹部を、前記噴霧部に該凹部に嵌合される凸部が設けられ、前記凹部と前記凸部とにより前記噴霧部が前記電解水噴霧装置主体に嵌合されることを特徴とする請求項１に記載の電解水噴霧装置。
【請求項１１】
電解水噴霧装置主体には空間を形成する第一壁部材と第二壁部材を有し、前記第二壁部材には電解槽、流出管、電気端子の少なくとも何れか一つが固定されていることを特徴とする請求項１に記載の電解水噴霧装置。
【手続補正００２】
【補正対象書類名】明細書
【補正対象項目名】０００３
【補正方法】変更
【補正の内容】
【０００３】
前記電解水噴霧装置主体に着脱自在に取付けられるものであって前記電解水流出管の吐出口から流出する電解水を噴霧するための噴霧素子を備える噴霧部と、を有する電解水噴霧装置。
〔２〕  前記噴霧部が噴霧部本体とその噴霧部本体に対して移動自在な噴霧部開開カバーを有する、ことを特徴とする請求項〔１〕に記載の電解水噴霧装置。
〔３〕  前記噴霧部が、前記電解水流出管の吐出口を開閉するためのものであって前記噴霧部開閉カバーと連動して移動する吐出口開閉手段を有する請求項〔２〕に記載の電解水噴霧装置。
〔４〕  前記吐出口開閉手段を前記噴霧部開閉カバーと別体に形成し、前記吐出口開閉手段に表面より外部に突出する突起を一体に形成し、前記吐出口開閉手段を前記噴霧部本体に形成した溝に挿入し、前記突起が前記溝内に位置した時に前記突起が前記吐出口開閉手段を前記電解水流出管の吐出口に密着させるようにした請求項〔１〕に記載の電解水噴霧装置。
〔５〕  前記電解水噴霧装置主体に一方を側面に開口する第一空間部と他方を上方に開口する第二空間部とを連結した空間を形成し、前記噴霧部に腕とその先端の係止突起とを形成し、前記係止突起を前記第一空間部の開口部から挿入し、前記空間を形成する壁部材に前記係止突起を係合させて前記噴霧部を前記電解水噴霧装置主体に取付け、前記第二空間部の開口部から分離手段を挿入してその分離手段で前記係止突起を押して前記係止突起と前記第一壁部材との係合状態を外して前記噴霧部と前記電解水噴霧装置主体とを分離するようにした請求項〔１〕に記載の電解水噴霧装置。
〔６〕  前記空間を形成する壁部材における前記分離手段の挿入先端位置を傾斜面とした請求項〔５〕に記載の電解水噴霧装置。
〔７〕  前記電解水噴霧装置主体に前記電解質水溶液タンクと前記廃液タンクの開口部を開閉する蓋を備え、その蓋によって前記電解質水溶液タンクと前記廃液タンクを閉鎖しているときに前記第二空間部が覆われ、前記電解質水溶液タンクと前記廃液タンクを開いたときに前記第二空間部が開かれる


【手続補正００３】
【補正対象書類名】明細書
【補正対象項目名】０００４
【補正方法】変更
【補正の内容】
【０００４】
ようにした請求項〔５〕に記載の電解水噴霧装置。
〔８〕  前記噴霧部がスイッチ作動手段を有し、前記電解水噴霧装置主体が前記スイッチ作動手段によって作動するスイッチを有し、前記噴霧部が電解水流出管の吐出口を閉塞している時に、前記スイッチ作動手段の働きによって前記スイッチがポンプに供給する電力回路を切断するか前記電源をＯＦＦするかの少なくとも一方を行わせる請求項〔１〕に記載の電解水噴霧装置。
〔９〕  前記電解水流出管の周辺に前記電解水噴霧装置主体内部と外部とを遮蔽する防水手段を備えた請求項〔１〕に記載の電解水噴霧装置。
〔１０〕前記電解水噴霧装置主体には前記噴霧部を固定するための凹部を、前記噴霧部に該凹部に嵌合される凸部が設けられ、前記凹部と前記凸部とにより前記噴霧部が前記電解水噴霧装置主体に嵌合されることを特徴とする請求項〔１〕に記載の電解水噴霧装置。
〔１１〕電解水噴霧装置主体には空間を形成する第一壁部材と第二壁部材を有し、前記第二壁部材には電解槽、流出管、電気端子の少なくとも何れか一つが固定されていることを特徴とする請求項〔１〕に記載の電解水噴霧装置。
図面の簡単な説明
第１図は本発明の電解水噴霧装置の一例を示す概略構成図、第２図は第１図の電解水噴霧装置の噴霧部を取外した状態を示す説明図、第３図は第１図の電解水噴霧装置の噴霧状態を示す説明図、第４図は第１図の電解水噴霧装置の電解槽を示す拡大構成図、第５図は本発明に係る他の電解水噴霧装置の要部断面図、第６図は第５図の状態から噴霧部を取外した状態を示す断面、第７図は第５図の噴霧部を分解した斜視図、第８図は第５図に示す噴霧部で開閉カバーを開いた状態を示す要部断面図、第９図は第５図に示す噴霧部と電解水噴霧装置本体との係止箇所を示す断面図、第１０図は第９図に示す噴霧部と電解水噴霧装置本体との係止箇所を専用治具で外す状態を示す断面図、第１１図は他の蓋を用いた第９図相当図、第１２図は第５図における要部拡大断面図である。
発明を実施するための第１の最良の形態
以下、図面を参照しながら本発明の電解水噴霧装置の一例につき説明する。
第１図中、１００は電解水噴霧装置で、電解水噴霧装置主体１０２と、その電解水噴霧装置主体１０２に着脱自在に取付けられた噴霧部１０４とからなる。２は、略直方体状の電解水噴霧装置主体１０２のハウジングである。４は、前記ハウジング２内に収納された電解質水溶液タンクで、その内部には電解質水溶液が収納されている。電解質としては、塩化ナトリウム、塩化カリウム、塩化カルシウム等のアルカリ金属塩やアルカリ土類塩、アスコル




【国際調査報告】
2003089150.tif 000015
2003089150.tif 000016